(57)【要約】【課題】容器の胴部に側方から強い外力が作用することがあっても胴部の変形を防止できる合成樹脂製容器を提供する。【解決手段】内容物の注出口となる口部２と、口部２に肩部３を介して連なり、上側部分４ａよりも下側部分４ｂが大径となっている胴部４と、胴部４の下端を閉塞する底部５とを備えた合成樹脂製容器１であって、下側部分４ｂは、周方向に並べて配置された複数の減圧吸収パネル８と、減圧吸収パネル８の上縁部に形成された面取り部１３と、を有することを特徴とする。【選択図】図１
2018070168.tif 000002
【特許請求の範囲】
【請求項１】
内容物の注出口となる口部と、該口部に肩部を介して連なり、上側部分よりも下側部分が大径となっている胴部と、該胴部の下端を閉塞する底部とを備えた合成樹脂製容器であって、
前記下側部分は、周方向に並べて配置された複数の減圧吸収パネルと、該減圧吸収パネルの上縁部に形成された面取り部と、を有することを特徴とする合成樹脂製容器。
【請求項２】
前記面取り部は、前記胴部の中心軸に対して平行である、請求項１に記載の合成樹脂製容器。
【請求項３】
前記面取り部は、前記上側部分の最大径部分よりも径方向外側に位置している、請求項１又は２に記載の合成樹脂製容器。
【請求項４】
前記下側部分において前記減圧吸収パネルを除いた領域を非パネル領域とし、
前記面取り部と同一の軸方向範囲に位置する前記非パネル領域の最大径となる部分の外面から、前記面取り部の外面までの径方向距離が、１．０〜３．０ｍｍである、請求項１〜３のいずれか一項に記載の合成樹脂製容器。
【発明の詳細な説明】
【技術分野】
【０００１】
本発明は、内容物の注出口となる口部と、該口部に肩部を介して連なる胴部と、該胴部の下端を閉塞する底部とを備えたボトル形状の合成樹脂製容器に関し、特に、胴部に減圧吸収パネルが設けられるものに関する。
【背景技術】
【０００２】
延伸ポリプロピレン（ＯＰＰ）製のボトルやポリエチレンテレフタレート（ＰＥＴ）製のボトルに代表されるような合成樹脂製容器は、軽量で取り扱いが容易であること、内容物の保存安定性に優れること、しかもコスト的に安価であることから、飲料用、食品用、化粧料用等の様々な用途に使用されている。
【０００３】
このような合成樹脂製容器では、内容物である果汁飲料やお茶等の飲料、及び醤油、酢、たれ等の調味料が、加熱された状態で充填される高温充填にも対応できるように、胴部に減圧吸収パネルを設けた構成のものが知られている。具体的には、例えば内容物を高温充填し口部をキャップで閉塞した後に、内容物の温度が低下すると、容器内が減圧されて胴部に予期せぬ変形（不正変形）が生じるおそれがある。このような問題に対し、胴部に減圧吸収パネルを設けた場合には、容器内の減圧を優先的に減圧吸収パネルの変形により吸収することができるので、胴部に不正変形が生じることを防止できる。
【０００４】
例えば特許文献１には、胴部に上下方向に延びる減圧吸収パネルを設け、当該パネル内の上下端部分に膨出部を設けることで、容器の薄肉化に伴う剛性低下を回避すると共に、内容物が高温充填された場合にも容器の外観形状を保持できるようにした合成樹脂製容器が記載されている。
【先行技術文献】
【特許文献】
【０００５】
【特許文献１】特開２００４−３２３１００号公報
【発明の概要】
【発明が解決しようとする課題】
【０００６】
ところで、容器に内容物を充填するライン（充填ライン）においては、複数の容器が、密集した状態で互いに押し合いながら搬送される場合がある。その際、容器同士の接触及びコンベアの両側に配置されたガイド部との接触等によって、容器には側方からの荷重が加わることとなる。上記従来の容器では、例えば、このような内容物の充填工程で搬送される際に容器に作用する荷重（所謂、ラインプレッシャー）や流通時等に容器に加えられる径方向からの強い外力（衝突力）等によって、胴部のうち減圧吸収パネルに対して容器の軸方向の外側（上側）に隣り合う領域に復元不可能な変形が生じるおそれがあった。
【０００７】
特に、容器の胴部が円筒形の上側部分と、上側部分よりも大径の円筒形状からなる下側部分で構成され、下側部分に減圧吸収パネルが設けられている場合において、上記のような変形が生じ易く、これを防止することに改善の余地があった。
【０００８】
本発明は、このような事情に鑑みてなされたものであって、容器の胴部に側方から強い外力が作用することがあっても胴部の変形を防止できる合成樹脂製容器を提供することを目的としている。
【課題を解決するための手段】
【０００９】
本発明の合成樹脂製容器は、内容物の注出口となる口部と、該口部に肩部を介して連なり、上側部分よりも下側部分が大径となっている胴部と、該胴部の下端を閉塞する底部とを備えた合成樹脂製容器であって、
前記下側部分は、周方向に並べて配置された複数の減圧吸収パネルと、該減圧吸収パネルの上縁部に形成された面取り部と、を有することを特徴とする。
【００１０】
本発明の合成樹脂製容器は、前記面取り部は、前記胴部の中心軸に対して平行であることが好ましい。
【００１１】
本発明の合成樹脂製容器は、前記面取り部は、前記上側部分の最大径部分よりも径方向外側に位置していることが好ましい。
【００１２】
前記下側部分において前記減圧吸収パネルを除いた領域を非パネル領域とし、
前記面取り部と同一の軸方向範囲に位置する前記非パネル領域の最大径となる部分の外面から、前記面取り部の外面までの径方向距離が、１．０〜３．０ｍｍであることが好ましい。
【発明の効果】
【００１３】
本発明によれば、容器の胴部に側方から強い外力が作用することがあっても胴部の変形を防止できる合成樹脂製容器を提供することができる。
【図面の簡単な説明】
【００１４】
【図１】本発明の一実施の形態である合成樹脂製容器の正面図である。
【図２】図１におけるＡ−Ａ線に沿う断面図である。
【発明を実施するための形態】
【００１５】
以下、図面を参照して、本発明をより具体的に例示説明する。
【００１６】
図１に示す本発明の一実施の形態である合成樹脂製容器１は、例えば果汁飲料やお茶等の飲料、及び醤油、酢、たれ等の調味料を内容物として収容するものであり、当該内容物が所定の温度にまで加熱された高温状態で充填される高温充填に対応したものである。なお、合成樹脂製容器１の上下方向は、図１の上下方向を指すものとする。
【００１７】
この合成樹脂製容器１は、内容物の注出口となる口部２と、口部２の下端に連なる裁頭円錐筒状の肩部３と、口部２に肩部３を介して連なる筒状の胴部４と、胴部４の下端を閉塞する底部５とを備えたボトル形状に形成されている。なお、図１中の符号Ｃは、口部２、肩部３、胴部４及び底部５の共通の中心軸を示す。
【００１８】
この合成樹脂製容器１は、例えばポリエチレンテレフタレート製のプリフォームを二軸延伸ブロー成形することにより所謂ペットボトルに構成することができる。なお、合成樹脂製容器１は、ポリエチレンテレフタレートに限らず、例えば延伸ポリプロピレン（ＯＰＰ）等の熱可塑性を有する他の合成樹脂からなるプリフォームを二軸延伸ブロー成形して形成されたものとすることもできる。また、合成樹脂製容器１の製法についても、プリフォームを二軸延伸ブロー成形する方法のみならず、例えば樹脂材料を押し出しブロー成形するなど、種々の製法を採用することができる。
【００１９】
口部２の外周面には突起が形成されており、内容物が高温充填された後、図示しないキャップを口部２に打栓することによりアンダーカット状に嵌合させて口部２を閉塞することができる。また、口部２の外周面に突起を設ける代わりに雄ねじを設け、雄ねじにキャップをねじ結合することにより口部２を閉塞する構成としてもよい。
【００２０】
ここで、肩部３及び胴部４は、シュリンクラベル等のラベルを設けて装飾することができる。なお、シュリンクラベルとは、ポリスチレン（ＰＳ）やポリエチレンテレフタレート（ＰＥＴ）等の熱収縮性フィルムによりラベル装着部よりも大径の筒状に形成され、ラベル装着部の外側に被せられた状態で熱風等により加熱されることで収縮してラベル装着部の外周面に密着した状態となって装着されるものである。
【００２１】
胴部４は、肩部３に連なる上側部分４ａと、底部５に連なる下側部分４ｂとを有する。上側部分４ａは、後述する環状凸部６及び横溝７を除いて全体的に径が一定の略円筒形状となっている。また、下側部分４ｂは、上側部分４ａよりも全体が大径であり、後述する減圧吸収パネル８、面取り部１３、及び横溝７を除いて全体的に径が一定の略円筒形状である。上側部分４ａと下側部分４ｂの間には、胴部４の径方向内側に向けて凹となる環状の横溝４ｃが形成されている。
【００２２】
また、本実施形態において、胴部４の上側部分４ａには、胴部４の全周に亘って周方向に延びる環状の環状凸部６が設けられている。環状凸部６の外周面の最大径は、上側部分４ａにおける最大径となっている。
【００２３】
上側部分４ａ及び下側部分４ｂには、それぞれ胴部４の全周に亘って周方向に延びる環状の横溝７が設けられている。本実施形態においては、胴部４の上側部分４ａに、４本の横溝７が軸方向に間隔を空けて設けられ、下側部分４ｂに１本の横溝７が設けられているが、その数や位置は任意に設定可能である。この横溝７は、胴部４の外周面から当該胴部４の内側に向けて凹む凹リブ形状に形成されている。このような横溝７を設けることにより、胴部４の径方向の剛性を高めることができ、外観形状を安定的に保持することができる。
【００２４】
胴部４の下側部分４ｂには、複数の減圧吸収パネル８が設けられている。減圧吸収パネル８は、合成樹脂製容器１の内部の圧力が低下すると径方向内側に弾性変形して、減圧を吸収することができる。本実施形態では、複数の減圧吸収パネル８が胴部４の周方向に並べて配置されている。本実施形態においては、６枚の減圧吸収パネル８が周方向に均等に配置されているが、その枚数や位置は任意に設定可能である。これらの減圧吸収パネル８は、それぞれ胴部４の外周面に対して当該胴部４の内側に向けて凹む凹部として形成されており、周方向に隣り合う減圧吸収パネル８の間の部分は、それぞれ上下方向に延在する柱部９となっている。柱部９は、減圧吸収パネル８に比べて剛性が高く、変形が生じ難くなっている。当該柱部９を含めて、下側部分４ｂにおける、減圧吸収パネル８を除く領域を非パネル領域１０とする。
【００２５】
減圧吸収パネル８は、パネル側面１１及びパネル底面１２を有する。パネル側面１１は、パネル底面１２を取り囲むように形成されており、パネル底面１２の外周縁から非パネル領域１０まで、減圧吸収パネル８の中心から離間する方向に傾斜している。
【００２６】
なお、本実施形態において減圧吸収パネル８は、図１に示すように、角部を湾曲させた略長方形であり、中心軸Ｃに平行な方向（上下方向）が長手方向となるように形成されているが、これに限定されるものではない。例えば、略正方形等の他の多角形としてもよいし、楕円形としてもよく、長手方向が中心軸Ｃに対して傾斜していてもよい。
【００２７】
図２は、図１に示す合成樹脂製容器１の断面Ａ−Ａに沿う断面図である。図２に示すように、パネル底面１２は、縦断面視で中心軸Ｃに平行となっている。図２に示すように、減圧吸収パネル８の深さＤ１は、柱部９の外周面から、パネル底面１２までの半径方向距離である。すなわち、減圧吸収パネル８の深さＤ１は、中心軸Ｃから減圧吸収パネル８に隣接する柱部９の外面までの径方向距離Ｌ１と、中心軸Ｃからパネル底面１２までの径方向距離Ｌ２との差である。減圧吸収パネル８の深さＤ１は、３．０〜６．５ｍｍとすることが好ましい。このような構成とすることにより、成形性の悪化を抑制しながらも減圧吸収パネル８による減圧吸収効果を確保することができる。なお、パネル底面１２には、凹部または凸部を設けることができ、その形状も特に限定されない。
【００２８】
それぞれの減圧吸収パネル８の上縁部には、面取り部１３が形成されている。面取り部１３は、面取り部１３と同一の軸方向範囲に位置する非パネル領域１０における最大径部分よりも、径方向内側に位置する。すなわち、中心軸Ｃに垂直な横断面視において、面取り部１３は、面取り部１３以外の非パネル領域１０に比べて径方向内側に位置することとなる。図２に示すように、中心軸Ｃから面取り部１３の外面までの径方向距離Ｌ３は、面取り部１３と同一の軸方向範囲に位置する非パネル領域１０の最大径となる部分（柱部９の上側の領域）の、中心軸Ｃからの径方向距離Ｌ４よりも、小さくなっている。これにより、減圧吸収パネル８の上縁部に位置する面取り部１３は、柱部９の上側の領域よりも径方向内側に位置することとなる。
【００２９】
面取り部１３は、パネル底面１２の上側のパネル側面１１と、当該パネル側面１１の上側に位置する非パネル領域１０とを連結している。本実施形態において面取り部１３は、図２に示すように、縦断面視で中心軸Ｃに平行に延在している。なお、面取り部１３は、中心軸Ｃに対して傾斜していてもよい。また、面取り部１３は、平坦面であってもよいし、周方向に湾曲する面、もしくは軸方向に湾曲する面であってもよい。図２に示す面取り部１３の深さＤ２は、１．０ｍｍ〜３．０ｍｍであることが好ましい。面取り部１３の深さＤ２は、面取り部１３と同一の軸方向範囲に位置する非パネル領域１０の最大径となる部分の、中心軸Ｃからの径方向距離Ｌ４と、中心軸Ｃから面取り部１３の外面までの径方向距離Ｌ３との差である。
【００３０】
本実施形態では、面取り部１３は、上側部分４ａの最大径となる環状凸部６よりも径方向外側に位置している。すなわち、中心軸Ｃから面取り部１３の外面までの径方向距離Ｌ３は、中心軸Ｃから環状凸部６の外面までの径方向距離Ｌ５よりも大きい。このような構成とすることにより、面取り部１３の深さＤ２が深くなり過ぎないため、成形性の低下を抑制することができる。すなわち、変形抑制効果と、成形性との両立を図ることができる。
【００３１】
このように、本実施形態に係る合成樹脂製容器１では、胴部４の上側部分４ａよりも大径の下側部分４ｂに設けられた減圧吸収パネル８の上縁部に、面取り部１３が形成されている。このような構成とすることにより、柱部９の上側の領域よりも面取り部１３が径方向内側に位置するため、変形が生じ易い減圧吸収パネル８の上側の領域が外部の物体と接触し難くなる。また、面取り部１３に外部の物体等が接触した場合でも、面取り部１３によって応力を分散させることができるので、応力が減圧吸収パネル８の上側の領域に集中し難い。その結果、例えば流通時等に合成樹脂製容器１に加えられる径方向からの強い外力（衝突力）等によって、胴部４のうち減圧吸収パネル８に対して上側に隣り合う非パネル領域１０の復元不可能な変形を防止することができる。
【００３２】
なお、面取り部１３は、図２に示す縦断面視において、中心軸Ｃと平行となっていることが好ましい。このような構成とすることにより、胴部４に設けた減圧吸収パネル８の上側に隣接する領域の変形抑制効果を高めることができる。
【実施例】
【００３３】
ここで、本発明の効果を確認するために、図１、２に示す実施例の容器と、面取り部を設けていない比較例の容器とを用いて、傾斜衝撃試験を行った。
【００３４】
なお、実施例の容器において、面取り部１３の深さＤ２は、２．０ｍｍとした。また、比較例の容器は、減圧吸収パネルの上縁部におけるパネル側面が、（面取り部１３を介さずに）直接、非パネル領域に連結されている。
【００３５】
また、ＪＩＳ  Ｚ  ０２０５に準拠した傾斜衝撃試験（走行距離の測定間隔を１０ｃｍとし、それぞれの容器に潰れが発生するまで、その距離を延長する）を行い、各容器の潰れ変形の発生状況について検証した。実施例及び比較例の各容器は、材料がポリエチレンテレフタレート（ＰＥＴ）であり、重量が４０ｇ、内容量が１．０Ｌ（リットル）、全高が２６０ｍｍ、胴部の下側部分の最大径が８３．８ｍｍのものを使用した。
【００３６】
上記方法による試験の結果、変形が発生した距離は、比較例では７０ｃｍであった一方で、実施例では１００ｃｍとなり、変形が生じる距離について、４３％の性能の向上が確認された。つまり、実施例の容器は、比較例の容器に比べて格段に変形が生じ難くなったことが確認された。
【００３７】
本発明は前記実施の形態に限定されるものではなく、その要旨を逸脱しない範囲で種々変更可能であることはいうまでもない。例えば、合成樹脂製容器１に充填される内容物は、果汁飲料やお茶等の飲料、及び醤油、酢、たれ等の調味料に限らず、食品や化粧料等の他の内容物であってもよい。
【符号の説明】
【００３８】
１    合成樹脂製容器
２    口部
３    肩部
４    胴部
４ａ  上側部分
４ｂ  下側部分
４ｃ  横溝
５    底部
６    環状凸部
７    横溝
８    減圧吸収パネル
９    柱部
１０  非パネル領域
１１  パネル側面
１２  パネル底面
１３  面取り部
Ｃ    中心軸
Ｄ１  減圧吸収パネルの深さ
Ｄ２  面取り部の深さ
【図１】
2018070168.tif 000003
【図２】
2018070168.tif 000004